(57)【特許請求の範囲】
【請求項１】
第一部（２）、および前記第一部に対して回転する構成の第二部（３）を有し、第一部および第二部（２，３）が折り畳み位置および開放位置へ相互に対して回転自在であり、前記第一部が少なくともデータ入力手段を含みかつ前記第二部が少なくともディスプレイユニット（５）を含む折り畳み式電子装置において、
前記折り畳み位置において、前記データ入力手段およびディスプレイユニット（５）は、それぞれ、前記電子装置（１）の反対側の外面を構成する前記第一部（２）および前記第二部（３）のそれぞれの外面に位置し、前記データ入力手段の少なくとも幾つかは前記ディスプレイユニット（５）のディスプレイのポインティングディバイスとして作動する構成であり、かつ操作手段は前記データ入力手段が位置する外面と反対側の前記第一部（２）の外面上に設けられていて、前記ディスプレイユニット（５）が位置する前記第二部（３）の外面側に位置することを特徴とする、折り畳み式電子装置。
【請求項２】
前記データ入力手段はキーボード（４）を構成することを特徴とする、請求項１に記載の折り畳み式電子装置。
【請求項３】
前記キーボード（４）は第一作動モードおよび第二作動モードを有することを特徴とする、請求項２に記載の折り畳み式電子装置。
【請求項４】
前記第一作動モードにおいて、前記キーボード（４）はデータ入力手段として作動する構成であり、かつ前記第二作動モードにおいて、前記キーボードまたはその一部は前記ディスプレイのポィンティングディバイスとして作動する構成であることを特徴とする、請求項３に記載の折り畳み式電子装置。
【請求項５】
前記キーボード（４）の作動モードは前記電子装置の第一部（２）と第二部（３）間の角度に基づいて決定される構成であることを特徴とする、請求項３または４に記載の折り畳み式電子装置。
【請求項６】
前記キーボード（４）の作動モードはユーザコマンドにより選択される構成であることを特徴とする、請求項３または５に記載の折り畳み式電子装置。
【請求項７】
前記キーボード（４）の作動モードは作動モードを選択するためのスイッチ（１２）により選択される構成であることを特徴とする、請求項６に記載の折り畳み式電子装置。
【請求項８】
前記第一部（２）と第二部（３）間の最大偏向角度は約３６０°であることを特徴とする、請求項１から７のいずれか１に記載の折り畳み式電子装置。
【請求項９】
前記データ入力手段はワーティ配列キーボードで構成されていることを特徴とする、請求項１から８のいずれか１に記載の折り畳み式電子装置。
【請求項１０】
前記データ入力手段は機械的キーボード（４）で構成されていることを特徴とする、請求項１から９のいずれか１に記載の折り畳み式電子装置。
【請求項１１】
前記データ入力手段は前記キーボード（４）のキーを表す図形を有するタッチパッドで構成されていることを特徴とする、請求項１から９のいずれか１に記載の折り畳み式電子装置。
【請求項１２】
前記第二作動モードにおける前記タッチパッドはアクティブおよびパッシブとして形成できるセクタに分割できることを特徴とする、請求項１１に記載の折り畳み式電子装置。
【請求項１３】
前記タッチパッドのセクタはユーザコマンドにより形成される構成であることを特徴とする、請求項１２に記載の折り畳み式電子装置。
【請求項１４】
前記タッチパッドのセクタはセクタを選択するためのスイッチ（１３）により形成される構成であることを特徴とする、請求項１２に記載の折り畳み式電子装置。
【請求項１５】
前記データ入力手段はピエゾ電気レスポンス機能を有することを特徴とする、請求項１から１４に記載の折り畳み式電子装置。
【請求項１６】
前記データ入力手段の全体が前記ディスプレイのポインティングディバイスとしてまたはその一部として作動する構成であることを特徴とする、請求項１から１５のいずれか１に記載の折り畳み式電子装置。
【請求項１７】
前記データ入力手段の一部は前記ディスプレイのポインティングディバイスとして作動する構成であることを特徴とする、請求項１から１５のいずれか１に記載の折り畳み式電子装置。
【請求項１８】
前記ディスプレイのポインティングディバイスは前記データ入力手段に設けられたジョイステックであることを特徴とする、請求項１７に記載の折り畳み式電子装置。
【請求項１９】
前記ディスプレイのポインティングディバイスは前記データ入力手段に設けられたタッチパッドであることを特徴とする、請求項１７に記載の折り畳み式電子装置。
【請求項２０】
前記操作手段は数字キーパッド（１５）を含むことを特徴とする、請求項１に記載の折り畳み式電子装置。
【請求項２１】
前記データ入力手段は前記第一部（２）の凹部に適合していることを特徴とする、請求項１から２０のいずれか１に記載の折り畳み式電子装置。
【請求項２２】
前記ディスプレイのポインティングディバイスの寸法および前記ディスプレイユニット（５）の寸法に類似していることを特徴とする、請求項１から２１のいずれか１に記載の折り畳み式電子装置。
【請求項２３】
前記電子装置（１）が開放位置のときに、前記データ入力手段が設けられた側と反対側の第一部（２）の外面上に設けられた操作手段の少なくとも幾つかは前記ディスプレイのポインティングディバイスとして作動する構成であることを特徴とする、請求項１から２２のいずれか１に記載の折り畳み式電子装置。
【請求項２４】
前記電子装置（１）は１つのディスプレイユニット（５）のみを含むことを特徴とする、請求項１から２３のいずれか１に記載の折り畳み式電子装置。
【請求項２５】
前記キーボード（４）の少なくとも幾つかの部は前記電子装置（１）が少なくとも折り畳み位置のときに、低解像度ポインタとして作用する構成であることを特徴とする、請求項１から２４のいずれか１に記載の折り畳み式電子装置。
【発明の詳細な説明】
【０００１】
【発明の属する技術分野】
本発明は第一部、および前記第一部に対して回転する構成の第二部を含み、前記第一部および第二部は相互に対して折り畳み位置および開放位置へ回転自在であり、前記第一部は少なくともデータ入力手段を有し、かつ前記第二部は少なくともディスプレイユニットを有する、折り畳み式電子装置に関する。
【０００２】
【従来の技術】
折り畳み式電子装置は既知であり、この既知電子装置は第一部および前記第一部に回転自在に取り付けられた第二部を有する。最も典型的には、第一部および第二部はかかる装置において種々の蝶番解決手段により結合されている。この種の電子装置−以下、装置と言う−は、代表例として、移動電話、ラップトップ、コミニュケータ（communicators)、携帯コンピュータ、それらの結合体またはその他の類似装置である。装置を開放位置へ回転、即ち、第一部を第二部から離れる方向へ回転することにより、我々はデータ入力手段、一般的にキーボードにアクセスする。キーボードの寸法は、通常、第一部全体、そして対応するディスプレイユニットの寸法と実質的に等しく、かつディスプレイユニットの寸法は第二部の実質的全体の寸法に等しい。装置の運搬および取り扱いを促進するために、第一部および第二部は折り畳み位置へ折り畳むことができ、その場合に上記ディスプレイおよびデータ入力手段はその装置の内側に覆われる。
【０００３】
前記装置は、このように、ディスプレイユニットを見てキーボードを使用するために開放位置に開放しなければならない。殆ど場合、これは困難でありかつ状況により不可能である。かかる問題を解消するために、解決方法が提案されており、この解決方法では、装置は第二ディスプレイユニットおよび単純化されたキーボードを有し、このディスプレイユニットおよびキーボードは、通常、小型であり、そのようにして従来移動電話機能を実行できるものになる。装置が、例えば、カレンダ、ノート、アドレスブック、またはＰＤＡ(Personal Digital Assistant)用手段として使用される場合、装置は相対的により大きなディスプレイユニットおよびキーボード、典型的にはワーティ（Qwerty)キーボードが使用できるように開放する。かかる解決方法は良好であるが、構成部品および組み立てコストがかかり、装置を大きくかつ重くする。更に、かかる装置の相対的に大きいディスプレイは、片手だけで装置を取り扱う場合に、使用が非常に困難である。かかる状況の一例は混んだバスの中で立ったまま装置を使用するときである。
【０００４】
【発明が解決しようとする課題】
本発明の課題は折り畳み式電子装置を提供し、それにより上述の欠点を解消することにある。
【０００５】
【課題を解決するための手段】
本発明による折り畳み式電子装置は、第一部、および前記第一部に対して回転する構成の第二部を有し、第一部および第二部が折り畳み位置および開放位置へ相互に対して回転自在であり、第一部が少なくともデータ入力手段を含みかつ第二部が少なくともディスプレイユニットを含む折り畳み式電子装置において、前記折り畳み位置において、前記データ入力手段および前記ディスプレイユニットは、それぞれ前記電子装置の反対側の外面を構成する第一部および第二部のそれぞれの外面に位置し、前記データ入力手段の少なくとも幾つかは前記ディスプレイユニットのディスプレイのポインティングディバイスとして作動し、かつ操作手段は、前記データ入力手段が位置する外面と反対側の第一部の外面上に設けられていて、ディスプレイユニットが位置する第二部の外面側に位置することを特徴とする。
【０００６】
好適形態において、前記データ入力手段はキーボードを構成する。
【０００７】
好適形態において、前記キーボードは第一作動モードおよび第二作動モードを有する。
【０００８】
好適形態において、前記第一作動モードにおいて、前記キーボードはデータ入力手段として作動する構成であり、かつ前記第二作動モードにおいて、前記キーボードまたはその一部は前記ディスプレイのポィンティングディバイスとして作動する構成である。
【０００９】
好適形態において、前記キーボードの作動モードは前記電子装置の前記第一部と前記第二部間の角度に基づいて決定される構成である。
【００１０】
好適形態において、前記キーボードの作動モードはユーザコマンドにより選択される構成である。
【００１１】
好適形態において、前記キーボードの作動モードは作動モードを選択するためのスイッチにより選択される構成である。
【００１２】
好適形態において、前記第一部と前記第二部間の最大偏向角度は約３６０°である。
【００１３】
好適形態において、前記データ入力手段はワーティ配列キーボードで構成されている。
【００１４】
好適形態において、前記データ入力手段は機械的キーボードで構成されている。
【００１５】
好適形態において、前記データ入力手段は前記キーボードのキーを表す図形を有するタッチパッドで構成されている。
【００１６】
好適形態において、前記第二作動モードにおける前記タッチパッドはアクティブおよびパッシブとして形成できるセクタに分割できることを特徴とする。
【００１７】
好適形態において、前記タッチパッドのセクタはユーザコマンドにより形成される構成である。
【００１８】
好適形態において、前記タッチパッドのセクタはセクタを選択するためのスイッチにより形成される構成である。
【００１９】
好適形態において、前記データ入力手段はピエゾ電気レスポンス機能を有する。
【００２０】
好適形態において、前記データ入力手段の実質的全体が前記ディスプレイのポインティングディバイスとしてまたはその一部として作動する構成である。
【００２１】
好適形態において、前記データ入力手段の一部は前記ディスプレイのポインティングディバイスとして作動する構成である。
【００２２】
好適形態において、前記ディスプレイのポインティングディバイスは前記データ入力手段に設けられたジョイステックである。
【００２３】
好適形態において、前記ディスプレイのポインティングディバイスは前記データ入力手段に設けられたタッチパッドである。
【００２４】
好適形態において、前記電子装置の操作手段は前記データ入力手段と異なる方向へ対面する前記第一部の側に設けられている。
【００２５】
好適形態において、前記操作手段は数字キーパッドを含む。
【００２６】
好適形態において、前記データ入力手段は前記第一部の凹部に適合している。
【００２７】
好適形態において、前記ディスプレイのポインティングディバイスの寸法および前記ディスプレイユニットの寸法は実質的に類似している。
【００２８】
好適形態において、前記電子装置が開放位置のときに、前記データ入力手段と異なる方向へ対面する前記第一部の側にある操作手段の少なくとも幾つかは前記ディスプレイのポインティングディバイスとして作動する構成である。
【００２９】
好適形態において、前記電子装置は１つのディスプレイユニットのみを含む。
【００３０】
好適形態において、前記キーボードの少なくとも幾つかの部は前記電子装置が少なくとも折り畳み位置のときに、低解像度ポインタとして作用する構成である。
【００３１】
本発明による折り畳み式電子装置は、上述のように、折り畳み位置において、データ入力手段およびディスプレイユニットが装置の異なる外側にあり、即ち、それぞれが装置の反対側を構成するそれぞれの外面側に位置し、かつ少なくとも幾つかのデータ入力手段がディスプレイユニットのディスプレイポインティングディバイスとして作用すると共に、操作手段は、データ入力手段が設置された第一部の外面とは反対側の外面上に設置されていて、ディスプレイユニットが位置する装置の外面側と同一外面側に位置する構成である。
【００３２】
本発明の基本思想は、折り畳み位置において、第一部が第二部に対して回転し、データ入力手段が第一部の外側になり、それに対応して、ディスプレイユニットが第二部の外側、即ち、装置の反対側、またはデータ入力手段と異なる方向に対面する装置側になり、かつ装置が折り畳み位置のときに、少なくとも幾つかのデータ入力手段がディスプレイのポインティングディバイスとして使用でき、それによりディスプレイユニットにより表示される情報が制御されることにある。更に、本発明による好適実施形態の思想は、データ入力手段が第一作動モード即ち第一作用モードおよび第二作動モード即ち第二作用モードを有するキーボードを構成し、かつ第一作用モードにおいて、キーボードがデータ入力手段として作用する構成であり、かつ第二作用モードにおいて、キーボードまたはその一部がディスプレイのポインティングディバイスとして作用する構成であることである。本発明による第二実施形態の思想は、更に、キーボードがキーボードのキーを表す図形を有するタッチパッド式のポインティングディバイスであることである。本発明による第三実施形態の思想は、ディスプレイのポインティングディバイスおよびディスプレイユニットの寸法が実質的に類似し、好適には同一寸法であることである。本発明による第四実施形態の思想は、キーボードおよびディスプレイがその電子装置の同一側にある開放位置において、キーボードと異なる方向に対面する第一部の側に配置された操作要素がディスプレイのポインティングディバイスとして使用できることである。
【００３３】
以下に添付図面を参照して本発明を更に詳細に説明する。
【００３４】
【発明の実施の形態】
図１ａは本発明による折り畳み式電子装置の一実施形態の開放位置における概念斜視図を示し、かつ図１ｂは図１ａの装置の折り畳み位置における概念斜視図を示す。装置１は第一部２および第二部３を含み、前記第一部２および第二部３は蝶番手段により相互に対して回転自在に取り付けられている。第一部２および第二部３の相互に対する取り付けはそれ自体既知の蝶番手段により実施できるので、ここではこれ以上の説明をしない。注意すべきは、その装置およびその部品の寸法および形状は単に例示として表されている。
【００３５】
第一部２はデータ入力手段を含み、前記データ入力手段は本発明のこの実施形態において機械的キーボード４を構成し、キーボード４は装置１の寸法と比較して大きく、好適には実質的に第一部２の寸法である。キーボード４のキーは好適にはワーティ（qwerty)キーボードとして構成され、これは極めて一般的に使用され、周知であり、かつ同様に臨時ユーザにより容易に利用できる。前記キーボードは、また、他のタイプであってよい。
【００３６】
第二部３は第二部３の実質的全体の寸法であるのが好ましいディスプレイユニット５を具備する。このタイプのディスプレイユニット５はそれ自体既知のグレーまたは他の色彩のディスプレイである。ディスプレイユニット５の技術および特性はそれ自体当分野の熟練者に自明であるので、ここではこれ以上説明をしない。図１ａに示された開放位置において、本装置の第二部３は第一部２に対して一定角度にあり、キーボード４およびディスプレイユニット５の両者は装置１の同一側にある。この位置は、装置１のＰＤＡ特性が、例えば、ノートまたはメッセージ等の書き込みに使用される場合に特に好適である。第一部２と第二部３間の角度はその極限位置間で自由に調整でき、かつそのようにしてキーボード４およびディスプレイユニット５を使用するのに人間工学的に可能な最良位置が各場合に達成できる。
【００３７】
図１ｂは折り畳み位置の装置を示し、かつ図１ａにおける位置に対して仮想軸Ａを中心に１８０°回転している。第二部３は第一部２の凹部へ回転し、その後に第二部３および第一部２の他の面が実質的に平坦面を形成し、これが装置１に美的快適印象を付与する。折り畳み位置において、装置１は非常に小さくかつ取り扱いが容易である。
【００３８】
折り畳み位置において、キーボード４およびディスプレイユニット５は外側から見える装置１の両側、即ち、両側であるが装置１の異なる反対側にある。換言すれば、図１ｂにおいて、キーボード４は下方へ対面する装置１の外側、即ち、見えない下側にあり、他方、ディスプレイユニット５は上方に対面する装置の外側にある。
【００３９】
キーボード４は第一部２の凹曲面上に配置され、それにより、例えば、装置１がテーブル上に置かれるときに図１ｂにより示された位置でテーブルの表面がキーボード４のキーを押圧することなくかつ偶発的キーストロークを回避できるように保護される。偶発的キーストロークを回避するために、キーボード４は特定凹部へ嵌め込むか、または装置の第二部３の底により保護されるように沈めることができる。
【００４０】
機械的キーボードは、ここでは、各キーが他のキーから間隔をおいて分離している従来機械キーボード、およびキーが均一膜下に配置された膜キーボードを意味する。ピエゾ電気キーボードはキーボード４として同様に使用できる。ピエゾ電気キーボードにおいて、キーボードのキーは実質的平坦面上に記される。キーを押圧するときに、ピエゾ電気素子はタイプしている指先に感じることのできる軽い触感フィードバックを与え、それにより、ユーザとキーボード間の接触を実質的に改良する。同様に、特定キーまたはキーボードに設けられるジョイステック等のキーボード４の一部、それ自体既知のタッチパッド、または他の類似のポインティングディバイスがポインティングディバイスとして作用する。そのように、ディスプレイのポインティングディバイスが使用される時に、キーボードの残部は機械的にまたはプログラムにより、装置１が偶発的キーストロークに反応しないようにロックさせることができる。
【００４１】
当然ながら、装置の第一部２および第二部３は折り畳み位置または開放位置で使用できる他の操作要素を有してよい。図１ａおよびｂの実施形態において、装置の操作手段、即ちキー６およびジョイステック７は第一部２の前部、即ちキーボードから離れる方向へ対面する側、およびディスプレイユニット５のある第二部３側に設けられる。キー６およびジョイステック７の幾つかは第一部２の表面上の凹部８へはめ込まれる。人間工学的に凹部８は、折り畳んだ装置１のユーザの親指が凹部に適当に触れ、かつ凹部８内に設けられた装置１の操作手段の使用が容易であるように配置されることが好ましい。
【００４２】
第一部２および第二部３は共に当分野の熟練者にそれ自体周知の他の操作手段、構成要素、および素子を具備してよい。
【００４３】
好適形態において、キーボード４と異なる方向に対面する第一部２の側に設置される操作手段は、装置１が開放位置のとき、換言すれば、キーボード４およびディスプレイユニット５が装置の同一側にありかつユーザから見て操作手段が装置１の背後側にあるときに、ディスプレイ情報を制御するために使用できる。
【００４４】
図２ａは本発明による折り畳み式電子装置の実施形態の開放位置における概念側面図である。ディスプレイユニット（５）を含む第二部３はキーボード４を有する第一部２に対して約１２５°の角度にある。
【００４５】
キーボード４はタッチパッド式作用原理を有しかつワーティキーボードに必要とされるキーをプログラムに従って有するポインティングディバイスを構成する。注意すべきは、次の説明において、「タッチパッド」の用語はタッチパッド式作用原理を有するポインティングディバイスを意味するために使用されていることである。タッチパッドの作用は当分野の熟練者に自明であるのでその作用原理はここでは詳細に説明しない。
【００４６】
キーボード４は２つの作動モードを有する。第一作動モードにおいて、キーボード４はテキストまたは数字データを入力するためにデータ入力手段として使用される。そのようにして、キーボード４は従来キーボードとして作用し、かつキーボード上のパターン化されたキーが押圧されるときに、そのキーにより表示される文字がディスプレイ上に表れ、または所定機能を達成する。第一作動モードは、装置１が開放位置のときに特に好適であり、その例が図２ａに示されている。
【００４７】
第二作動モードにおいて、キーボード４またはその一部はディスプレイのポインティングディバイスとして作用する。ディスプレイのポインティングディバイスにより、その装置のユーザは、ディスプレイユニット５のディスプレイ上で移動するグラフィックユーザスインターフェースのカーソル等のポインタを制御し、ジョイステックとしてキーボード４を使用し、ディスプレイユニット５上に表された情報等をスクロールまたはズームする。第二作動モードは、装置の第一部２および第二部３が図２ｂに示された折り畳み位置へ回転するときに特に好適である。この折り畳み位置において、装置１は、例えば、従来移動電話機能を実行しまたはゲームを楽しむのに特に好適である。このように、ユーザがディスプレイユニット５が見えるようにして装置を手に持つ時に、即ち、ディスプレイユニット５が上方を向く時に、キーボード４は装置１の下側になる。装置１のユーザの指は装置の下側のキーボード４上で自然位置にセットされ、かつユーザによるキーボード４によるディスプレイユニット５の情報制御を簡単かつ容易にする。ディスプレイのポインティングディバイスの使用はキーボード３４を見ることを必要としない。
【００４８】
キーボードの作動モードはその部品間の角度に依存して自動的に形成されうる。作動モードは作動モードを選択するためのスイッチ１２により、またユーザコマンド等により他の方法によって選択でき、この場合両作動モードは折り畳み位置および開放位置の両位置において使用できる。
【００４９】
好適形態において、第二作動モードにおけるキーボード４はアクティブまたはパッシブとして形成されるセクタに分割できる。そのようにして、装置１のユーザは、ディスプレイを制御するために、例えば人差し指または中指を使用するか、または片手の指を使用するかに依存して所望によりディスプレイのポインティングディバイスを合わせ、またはアクティブとしてのセクタを選択することによって作用方法を合わせることができる。前記セクタは、例えば、セクタを選択するための特別のスイッチ１３により、または適宜他の方法によりアクティブとして選択されることができる。必要に応じて、選択されたセクタは当然変更できる。
【００５０】
ユーザが矢印Ｌ方向から装置１を見る。キーボード４およびディスプレイユニット５の両者は、ユーザの居る装置１の側にあり、それにより装置のＰＤＡ特性が容易に利用できる。この場合、第一部３は第二部４として実質的に等しい大きさである。第一部３および第二部４はいずれの方法においても同一または異なる寸法であってよいことは全く明白である。ただし、ディスプレイユニット５は可能な限り大きいのが好ましい。
【００５１】
前記装置の蝶番手段は第一部２と第二部３間の角度を極限位置間で連続的に実質的に調整できる２つのジョイント機構ヒンジ１４を構成する。選択的に、第一部２と第二部３間の角度は断続的に調整され、それにより第一部２と第二部３は相互に対して所定の特定角度で配置される。各事例において、蝶番はそれ自体当分野で周知の蝶番手段、例えば、フレックスヒンジ等により具体化されるので、ここでは詳細を説明しない。装置１のアンテナは蝶番または蝶番軸へ取り付けられる。
【００５２】
図２ｂは図２ａの装置の折り畳み位置における概念側面図である。図２ａと比較すると、装置１の位置は第一部２に対して第二部３を回転することにより、かつ装置１全体を上下逆に回転することにより変化している。ユーザは矢印Ｌの方向から装置１を見る。ユーザから見て、装置１の背後側のキーボード表面はディスプレイのポインティングディバイスとして作用する。キーボード４の寸法および面積はディスプレイユニット５と実質的に同一であり、従って、ポインティングディバイスは非常に論理的かつ確実に使用できる。ユーザは、ディスプレイ上の所望位置へカーソルを誘導するためにキーボード４から指を上昇させる必要がない。キーボード４がディスプレイユニット５の全領域を覆っているので、ディスプレイのカーソルは人差し指のあるところに表れるように形成することが可能である。本発明の好適形態において、ディスプレイのポインティングディバイスはディスプレイよりも大きく、かつそのようにしてディスプレイが特に精確な方法で制御できる。従って、装置１は１つのディスプレイを含むのみであり、その全領域が折り畳み位置および開放位置の両位置において利用できる。
【００５３】
図２ｃは図２ａの装置の第二折り畳み位置における概念側面図を示す。装置１の第一部２および第二部３は相互に対して約３６０°回転している。第二折り畳み位置において、ディスプレイユニット５はディスプレイを損傷する外部電位ブロー、スクラッチ、その他の同様負荷から保護される。従って、ディスプレイユニット５はディスプレイの読み取り領域を減少させかつ部品および組み立てコストを上昇させる保護窓による保護を必要としない。キーボード４およびディスプレイユニット５は相互に対して回転するが、装置の所定特性は利用できる。
【００５４】
図２ｃは装置１の外側シエル上に入力装置または出力装置がないことを示す。この外側シエルはマグネシウムからキャストされてよく、その場合、外側シエルは電子装置を固定するためのフレームとして使用できる。この場合、分離フレームを装置の内側に設ける必要はない。マグネシウムのキャスティングは装置１が良質である印象を与える。
【００５５】
図３は本発明による折り畳み式電子装置の第三実施形態の折り畳み位置における概念斜視図を示す。装置１の操作手段は数字キーパッド１５を含み、このキーパッドは第一部２の前部に設けられる。同様に、マイクロフォン１６は第一部２の前部に配置されているが、第二部３の他の側にマイクロフォン１６が設置できる。数字キー１５およびマイクロフォン１６は、例えば、従来携帯電話機能を実行するために使用できる。
【００５６】
図面および関連する説明は本発明思想を解説することを意図している。その詳細において、本発明は特許請求の範囲内で変更可能である。第一部２と第二部３間の最大偏向角度は当然ながら３６０°より小さい。装置１はロッキング要素を含み、それにより第一部２および第二部３は折り畳み位置、第二折り畳み位置、かつ／または開放位置に固定できる。本装置は、また、相互に対して回転する２部を越える部を含んでよい。ディスプレイ制御手段領域はキーボード４の領域よりも大きくてよい。本装置の部品および構成要素は図１ａから２ｃに示されたものと相違してよい。同様に、ディスプレイユニット５はタッチスクリーンであってよく、その場合、装置１の機能はディスプレイユニット５の表面をタッチすることにより制御できる。
【００５７】
キーボード４は二重作用キーボードであってよく、このキーボードは装置１が折り畳み位置のときであっても低解像度ポインタとして使用できる。二重作用キーボードは、キーが押圧または単にタッチされたことを検出できるキーを含む。本装置が折り畳み位置にあってユーザがキーをタッチするときに、ディスプレイ上の対応する条件がハイライトされる。条件はキーを押圧することにより選択される。グラフックインターフェースは条件がキーと一致するように構成される。キーボードのキーは直線行列に配置されるのが好ましい。この種のポインティング方法は、例えば、従来電話機能に使用できる。
【００５８】
【発明の効果】
本発明の利点は、装置が単に１つのディスプレイユニットを有し、かつそのようにして装置の構造が簡単であり、かつ構成要素および組立てコストが廉価であることである。ディスプレイユニットは大きく、かつユーザは折り畳み位置および開放位置においてそれらを使用できるので、装置のユーザはディスプレイユニットを利用する機能を迅速かつ容易に使用できる。装置の下側はデータ入力手段用の場所として利用できるので、装置はコンパクトである。
【００５９】
本発明による好適実施形態の利点は、空間が特に効率的に利用できることである。ディスプレイのポインティングディバイスは大きく形成され、それによりディスプレイユニットの情報を制御するのが容易である。
【００６０】
本発明の第二実施形態の利点は、タッチパッドキーボードが薄くかつ軽く、その作動モードがユーザの希望に従って変更できることである。本発明の第三実施形態の利点は、ディスプレイのポインティングディバイスおよびディスプレイの寸法が実質的に類似であり、ディスプレイユニットの情報が非常に精確かつ確実な方法により制御できることである。ユーザが装置の下のポインティングディバイスを見なくても、ディスプレイ上での指の運動による効果を理解するのが容易である。ディスプレイユニットの寸法またはそれよりも大きいポインティングディバイスはユーザがポインティングディバイス上のグリップを緩めることなくディスプレイユニットの現状を制御できるようにする。ディスプレイのポインティングディバイスは装置の底面で人間工学的に優れた場所にある。
【００６１】
本発明の第四実施形態の利点は、操作要素が装置の操作を可能にしかつより多様な方法による使用を可能にする。
【図面の簡単な説明】
【図１】ａは本発明による折り畳み式電子装置の実施形態の開放位置における概念斜視図である。ｂはａの装置の折り畳み位置における概念斜視図である。
【図２】ａは本発明による折り畳み式電子装置の実施形態の開放位置における概念側面図である。ｂはａの装置の折り畳み位置における概念側面図である。ｃはａの装置の第二折り畳み位置における概念側面図である。
【図３】本発明による折り畳み式電子装置の第三実施形態の折り畳み位置における概念斜視図である。
【符号の説明】
１…折り畳み式電子装置
２…第一部
３…第二部
４…キーボード
５…ディスプレイユニット
６…キー
７…ジョイステック
８…凹部
１５…数字キーパッド
【図１】
0003725833.tif 000002
【図２】
0003725833.tif 000003
【図３】
0003725833.tif 000004